(57)【特許請求の範囲】
【請求項１】
印刷ジョブの実行に関する複数種類の調整動作を実行可能な印刷システムであって、
前記調整動作を実行すべき第１のタイミングを示す情報を記憶する記憶手段と、
前記記憶手段に記憶されている前記第１のタイミングを示す情報に基づいて前記調整動作を実行する制御手段と、
前記制御手段が前記調整動作を実行した場合に、前記第１のタイミングより後の第２のタイミングを示す情報を、前記調整動作を実行すべきタイミングを示す情報として設定する設定手段と、
前記第１のタイミングで調整動作を実行した後に所定期間経過した後であって前記第２のタイミングになる前に、前記印刷システムに印刷中断要因が発生した場合に、前記複数種類の調整動作のうち実行可能な調整動作の候補を提示するユーザインタフェース手段と、を備え、
前記制御手段は、前記ユーザインタフェース手段によって提示した候補の中から、ユーザにより選択された前記調整動作を実行し、
前記設定手段は、ユーザにより選択された前記調整動作が実行された場合に、前記第２のタイミングより後の第３のタイミングを示す情報を、前記調整動作を実行すべきタイミングを示す情報として設定し、
前記制御手段は、前記第２のタイミングに基づいて前記調整動作を実行せずに、前記記憶手段に記憶されている前記第３のタイミングを示す情報に基づいて前記調整動作を実行することを特徴とする印刷システム。
【請求項２】
前記ユーザインタフェース手段によって提示する前記実行可能な調整動作の候補は、ユーザにより予め指定可能であることを特徴とする請求項１に記載の印刷システム。
【請求項３】
前記ユーザインタフェース手段によって提示する前記実行可能な調整動作の候補は、前記印刷中断要因の種類に基づいて決定されることを特徴とする請求項１に記載の印刷システム。
【請求項４】
前記制御手段は、前記調整動作の実行を、前記印刷中断要因の発生により実行が中断された印刷ジョブの実行を再開する前に開始することを特徴とする請求項１乃至請求項３の何れかに記載の印刷システム。
【請求項５】
前記制御手段は、前記印刷中断要因が発生した場合に、前記調整動作を実行するか否かを、前記印刷中断要因の発生により実行が中断された印刷ジョブに後続する印刷ジョブに関する情報に基づいて決定することを特徴とする請求項１乃至請求項４の何れかに記載の印刷システム。
【請求項６】
前記印刷システムは、印刷装置と、当該印刷装置と通信可能な後処理装置とを含み、
前記制御手段は、前記印刷装置に印刷中断要因が発生した場合に、前記後処理装置の調整動作を実行することを特徴とする請求項１乃至請求項５の何れかに記載の印刷システム。
【請求項７】
前記調整動作は、印刷濃度に関する調整動作、及び、階調補正に関する調整動作、及び、給紙部に関する調整動作のうちの少なくとも何れかであることを特徴とする請求項１乃至請求項６の何れかに記載の印刷システム。
【請求項８】
前記印刷中断要因は、前記印刷ジョブのために用いる給紙カセットが開いた状態であるカセットオープン、及び、用紙なし、及び、前記印刷ジョブのために用いる排紙先が満載の状態であるトレイフルのうちの少なくとも何れかであることを特徴とする請求項１乃至請求項７の何れかに記載の印刷システム。
【請求項９】
前記調整動作を実行すべきタイミングを示す情報は、前記調整動作を実行すべき時間情報または前記印刷ジョブの実行によって印刷される印刷枚数に関する枚数情報であり、
前記制御手段は、前記記憶手段に記憶されている時間情報に対応する時間に達した場合、または、前記記憶手段に記憶されている枚数情報に対応する枚数の印刷を実行した場合に前記調整動作を実行することを特徴とする請求項１乃至請求項８のいずれかに記載の印刷システム。
【請求項１０】
印刷ジョブの実行に関する複数種類の調整動作を実行可能な印刷システムの制御方法であって、
前記調整動作を実行すべき第１のタイミングを示す情報を記憶手段に記憶し、
前記記憶手段に記憶された前記第１のタイミングを示す情報に基づいて前記調整動作を実行し、
前記調整動作を実行した場合に、前記第１のタイミングより後の第２のタイミングを、前記調整動作を実行すべきタイミングを示す情報として設定し、
前記第１のタイミングで調整動作を実行した後に所定期間経過した後であって前記第２のタイミングになる前に、前記印刷システムに印刷中断要因が発生した場合に、前記複数種類の調整動作のうち実行可能な調整動作の候補をユーザインタフェース手段に提示し、前記ユーザインタフェース手段に提示された候補の中から、ユーザにより選択された前記調整動作を実行し、
ユーザにより選択された前記調整動作が実行された場合に、前記第２のタイミングより後の第３のタイミングを示す情報を、前記調整動作を実行すべきタイミングを示す情報として設定し、
前記第２のタイミングに基づいて前記調整動作を実行せずに、当該第３タイミングを示す情報に基づいて前記調整動作を実行することを特徴とする印刷システムの制御方法。
【請求項１１】
前記ユーザインタフェース手段によって提示する前記実行可能な調整動作の候補は、ユーザにより予め指定可能であることを特徴とする請求項１０に記載の印刷システムの制御方法。
【請求項１２】
前記ユーザインタフェース手段によって提示する前記実行可能な調整動作の候補は、前記印刷中断要因の種類に基づいて決定されることを特徴とする請求項１０に記載の印刷システムの制御方法。
【請求項１３】
前記調整動作の実行を、前記印刷中断要因の発生により実行が中断された印刷ジョブの実行を再開する前に開始することを特徴とする請求項１０乃至請求項１２の何れかに記載の印刷システムの制御方法。
【請求項１４】
前記印刷中断要因が発生した場合に、前記調整動作を実行するか否かを、前記印刷中断要因の発生により実行が中断された印刷ジョブに後続する印刷ジョブに関する情報に基づいて決定することを特徴とする請求項１０乃至請求項１３の何れかに記載の印刷システムの制御方法。
【請求項１５】
前記印刷システムは、印刷装置と、当該印刷装置と通信可能な後処理装置とを含み、
前記印刷装置に印刷中断要因が発生した場合に、前記後処理装置の調整動作を実行することを特徴とする請求項１０乃至請求項１４の何れかに記載の印刷システムの制御方法。
【請求項１６】
前記調整動作は、印刷濃度に関する調整動作、及び、階調補正に関する調整動作、及び、給紙部に関する調整動作のうちの少なくとも何れかであることを特徴とする請求項１０乃至請求項１５の何れかに記載の印刷システムの制御方法。
【請求項１７】
前記印刷中断要因は、前記印刷ジョブのために用いる給紙カセットが開いた状態であるカセットオープン、及び、用紙なし、及び、前記印刷ジョブのために用いる排紙先が満載の状態であるトレイフルのうちの少なくとも何れかであることを特徴とする請求項１０乃至請求項１６に記載の印刷システムの制御方法。
【請求項１８】
前記調整動作を実行すべきタイミングを示す情報は、前記調整動作を実行すべき時間情報または前記印刷ジョブの実行によって印刷される印刷枚数に関する枚数情報であり、
前記記憶手段に記憶されている時間情報に対応する時間に達した場合、または、前記記憶手段に記憶されている枚数情報に対応する枚数の印刷を実行した場合に前記調整動作を実行することを特徴とする請求項１０乃至請求項１７のいずれかに記載の印刷システムの制御方法。
【請求項１９】
請求項１０乃至請求項１８に記載の印刷システムの制御方法を実行する印刷装置。
【請求項２０】
請求項１０から請求項１８の何れかに記載の印刷システムの制御方法を、前記印刷システムのコンピュータに実行させるためのコンピュータプログラム。
【請求項２１】
請求項２０に記載のコンピュータプログラムを記憶したコンピュータ読取可能な記憶媒体。
【発明の詳細な説明】
【技術分野】
【０００１】
本発明は、印刷システム、印刷システムの制御方法、印刷装置、記憶媒体及びプログラムに関するものである。
【背景技術】
【０００２】
従来の印刷システムは、印刷結果が適切なものとなるように定期的に階調補正やトナーの濃度調整などの調整動作を実行している。このような印刷システムでは調整動作を実行している間、印刷の実行を中断する必要がある（特許文献１参照）。
【０００３】
また、従来の印刷システムでは、印刷ジョブを実行するために必要な資源が不足することによっても印刷ジョブの実行を中断する。このような印刷システムでは、資源の不足によって印刷ジョブの実行が中断されると、ユーザによって資源が補充されるまで印刷ジョブの実行を再開せず、資源が補充された後に印刷ジョブの実行を再開する。
【特許文献１】特開２００６−１６３０５２号公報
【発明の開示】
【発明が解決しようとする課題】
【０００４】
しかし、従来の印刷システムでは、例えば、資源の不足による印刷中断要因が解消した場合でも、そのタイミングで調整動作が自動的に実行され、再び印刷ジョブの実行が中断されることがある。その場合、印刷ジョブの実行の中断が頻発し、印刷システムの生産性が低下してしまう。
【０００５】
本発明は、上記課題に鑑みてなされたものであり、印刷ジョブの実行の中断頻度を低減することにより、生産性の低下を抑制することができる印刷システムを提供することを目的とする。
【課題を解決するための手段】
【０００６】
上記目的のため、本発明の請求項１記載の印刷システムは、次の特徴を持つ。本発明の印刷システムは、印刷ジョブの実行に関する複数種類の調整動作を実行可能な印刷システムであって、調整動作を実行すべき第１のタイミングを示す情報を記憶する記憶手段と、記憶手段に記憶されている第１のタイミングを示す情報に基づいて調整動作を実行する制御手段と、調整動作を実行した場合に、第１のタイミングより後の第２のタイミングを示す情報を、調整動作を実行すべきタイミングを示す情報として設定する設定手段と、第１のタイミングで実行される調整動作を実行した後に所定期間経過した後であって第２のタイミングになる前に、印刷システムに印刷中断要因が発生した場合に、前記複数種類の調整動作のうち実行可能な調整動作の候補を提示するユーザインタフェース手段と、を備え、制御手段は、ユーザインタフェース手段によって提示した候補の中から、ユーザにより選択された調整動作を実行し、設定手段は、ユーザにより選択された前記調整動作が実行された場合に、前記第２のタイミングより後の第３のタイミングを示す情報を、前記調整動作を実行すべきタイミングを示す情報として設定し、前記制御手段は、前記第２のタイミングに基づいて前記調整動作を実行せずに、前記記憶手段に記憶されている前記第３のタイミングを示す情報に基づいて前記調整動作を実行することを特徴とする。
【発明の効果】
【０００７】
本発明によれば、印刷中断要因が原因で印刷ジョブの実行が中断されている間に、調整動作を実行することができる。そして、当該実行に応じて記憶手段に記憶されたタイミングを示す情報を次回調整動作を実行すべきタイミングを遅らせるべく更新する。それによって、印刷中断要因が解消した場合に、そのタイミングで調整動作が自動的に実行され、再び印刷ジョブの実行が中断されることによる中断頻度の増加を抑制することができる。
【発明を実施するための最良の形態】
【０００８】
〔実施形態１〕
以下添付図面を参照して、本発明を好適な実施形態に従って詳細に説明する。
【０００９】
図１のＰＯＤシステム１００００は、印刷システム１０００、スキャナ１０２、サーバコンピュータ１０３（ＰＣ１０３）、クライアントコンピュータ１０４（ＰＣ１０４）を有し、それらはネットワーク１００を介して接続される。また、ＰＯＤシステム１００００は、紙折り機１０７、断裁機１０９、中綴じ製本機１１０、くるみ製本機１０８等を有する。
【００１０】
ジョブ処理装置の１例に相当する印刷システム１０００は、ジョブ処理装置の１例に相当する印刷装置１００やシート処理装置２００といった、複数種類の装置を有する。尚、本実施形態では、印刷装置１００の例として、コピー機能及びプリンタ機能等、複数の機能を有するＭＦＰ（Ｍｕｌｔｉ  Ｆｕｎｃｔｉｏｎ  Ｐｅｒｉｐｈｅｒａｌ）で説明する。しかしながら、印刷装置１００は、コピー機能のみ、あるいは、プリンタ機能のみの単一機能型の印刷装置であっても良い。
【００１１】
ＰＣ１０３は、ネットワーク１０１に接続された各種装置のデータの送受を管理する。
ＰＣ１０４は、ネットワーク１０１を介して、画像データを印刷装置１００やＰＣ１０３に送信する。
【００１２】
また、紙折り機１０７は、印刷装置１００で印刷されたシートの折り処理を行う。くるみ製本機１０８は、印刷装置１００で印刷されたシートのくるみ製本処理を行う。断裁機１０９は、複数枚のシートからなるシート束に対して、印刷装置１００で印刷されたシートの断裁処理を行う。中綴じ製本機１１０は、印刷装置１００で印刷されたシートの中綴じ製本処理を行う。
【００１３】
紙折り機１０７、くるみ製本機１０８、断裁機１０９、中綴じ製本機１１０を利用する場合、ユーザは印刷装置１００で印刷されたシートを印刷システム１０００から取出し、利用する装置にセットして、その装置によって処理を実行させる。また、図１のＰＯＤシステム１００００が有する複数の装置のうち、中綴じ製本機１１０以外の装置は、ネットワーク１０１に接続されており、互いに他装置とデータ通信可能に構成されている。
【００１４】
次に、印刷システム１０００の構成について、図２のシステムブロック図を用いて説明する。印刷システム１０００に含まれる図２に示す各ユニットのうちの、シート処理装置２００以外のユニットは、印刷装置１００に含まれる。
【００１５】
印刷装置１００には、任意の台数のシート処理装置２００を接続することができる。印刷システム１０００は、印刷装置１００で印刷されたシートに対するシート処理を、印刷装置１００に接続されたシート処理装置２００により実行できるように構成されている。
【００１６】
シート処理装置２００は、印刷装置１００と通信可能に構成され、印刷装置１００からの指示を受け、後述するようなシート処理を実行することができる。尚、シート処理装置２００は、後処理装置ともいい、シート処理装置２００によって行われるシート処理は後処理ともいう。
【００１７】
スキャナ部２０１は、原稿上の画像を読み取り、これを画像データに変換し他のユニットに転送する。
【００１８】
外部Ｉ／Ｆ部２０２は、ネットワーク１０１に接続された他の装置との間でデータを送受する。
【００１９】
プリンタ部２０３は、入力された画像データに基づく画像をシート上に印刷する。
【００２０】
操作部２０４は、図７に示すようにハードキー入力部４０２や、タッチパネル４０１を有し、それらを介してユーザからの指示を受付ける。また、操作部２０４は、操作部２０４が有するタッチパネルに各種表示を行う。
【００２１】
制御部２０５は、印刷システム１０００が有する各種ユニットの処理や動作等を統括的に制御する。即ち、印刷装置１００及び印刷装置１００に接続されたシート処理装置２００の動作も制御する。
【００２２】
ＲＯＭ２０７は、制御部２０５によって実行される各種プログラムを記憶する。例えば、ＲＯＭ２０７は、後述するフローチャートの各種処理を実行するためのプログラムや、各種設定画面を表示するための表示制御プログラムを記憶する。また、ＲＯＭ２０７は、ＰＣ１０３やＰＣ１０４等から受信したＰＤＬ（ページ記述言語）コードデータを、制御部２０５が解釈し、ラスターイメージデータに展開する動作を実行するためのプログラムを記憶する。他にも、ＲＯＭ２０７は、ブートシーケンスやフォント情報等のプログラム等の各種プログラムを記憶する。
【００２３】
ＲＡＭ２０８は、スキャナ部２０１や外部Ｉ／Ｆ２０２より送られてきた画像データや、ＲＯＭ２０７に格納された各種プログラム、設定情報等を記憶する。またＲＡＭ２０８は、シート処理装置２００に関する情報（印刷装置１００に接続されたシート処理装置２００の台数（０からｎ台）とシート処理装置２００の機能に関する情報、また、シート処理装置２００の接続順序等）を記憶する。
【００２４】
ＨＤＤ（ハードディスク）２０９は、ハードディスクとハードディスクへのデータの読み書きを行う駆動部等で構成される。ＨＤＤ２０９は、スキャナ部２０１や外部Ｉ／Ｆ部２０２から入力され、圧縮伸張部２１０によって圧縮された画像データを記憶する大容量の記憶装置である。制御部２０５は、ユーザからの指示に基づいて、ＨＤＤ２０９に格納された画像データをプリンタ部２０３によって印刷することができる。また、制御部２０５は、ユーザからの指示に基づいて、ＨＤＤ２０９に格納された画像データを、外部Ｉ／Ｆ２０２を介してＰＣ１０３等の外部装置へ送信することもできる。
【００２５】
圧縮伸張部２１０は、ＪＢＩＧやＪＰＥＧ等といった各種圧縮方式によってＲＡＭ２０８、ＨＤＤ２０９に記憶されている画像データ等の圧縮・伸張動作を行う。
【００２６】
次に、印刷システム１０００の構成について、図３を用いて説明する。図３は、印刷装置１００と印刷装置１００に接続されたシート処理装置２００の断面図である。
【００２７】
自動原稿搬送装置（ＡＤＦ）３０１は、原稿トレイの積載面にセットされた原稿束を１頁目の原稿から、ページ順に、順番に分離して、スキャナ３０２によって原稿走査するために原稿台ガラス上へ搬送する。
【００２８】
スキャナ３０２は、原稿台ガラス上に搬送された原稿の画像を読み取り、ＣＣＤによって画像データに変換する。回転多面鏡（ポリゴンミラー等）３０３は、画像データに応じて変調された、例えばレーザ光などの光線を入射させ、反射ミラーを介して反射走査光として感光ドラム３０４に照射する。感光ドラム３０４上にレーザ光によって形成された潜像はトナーによって現像され、転写ドラム３０５上に貼り付けられたシート材に対してトナー像を転写する。この一連の画像形成プロセスをイエロー（Ｙ）、マゼンタ（Ｍ）、シアン（Ｃ）、ブラック（Ｋ）のトナーに対して順次実行することによりフルカラー画像が形成される。４回の画像形成プロセスの後に、フルカラー画像形成された転写ドラム３０５上のシート材は、分離爪３０６によって分離され、定着前搬送器３０７によって定着器３０８へ搬送される。
【００２９】
定着器３０８は、ローラやベルトの組合せによって構成され、ハロゲンヒータなどの熱源を内蔵し、トナー像が転写されたシート材上のトナーを、熱と圧力によって溶解、定着させる。排紙フラッパ３０９は、揺動軸を中心に揺動可能に構成され、シート材の搬送方向を規定する。排紙フラッパ３０９が図中時計回りの方向に揺動しているときには、シート材は真直ぐに搬送され、排紙ローラ３１０によって機外へ排出される。
【００３０】
制御部２０５は、以上のような一連のシーケンスによって、印刷を行う。
【００３１】
一方、シート材の両面に画像を形成する場合には、排紙フラッパ３０９が図中反時計回りの方向に揺動し、シート材は下方向に進路を変更され両面搬送部へと送り込まれる。両面搬送部は、反転フラッパ３１１、反転ローラ３１２、反転ガイド３１３および両面トレイ３１４を備える。
【００３２】
反転フラッパ３１１は、揺動軸を中心に揺動し、シート材の搬送方向を規定する。制御部２０５は、両面印刷を実行する場合、プリンタ部２０３でシートの第１面にプリント済みのシートを、反転フラッパ３１１を図中反時計回りの方向に揺動し、反転ローラ３１２を介して、反転ガイド３１３へと送り込むよう制御する。そして、シート材後端が反転ローラ３１２に狭持された状態で反転ローラ３１２を一旦停止させ、引き続き反転フラッパ３１１が図中時計回りの方向に揺動かさせる。且つ、反転ローラ３１２を逆方向に回転させる。これにより、該シートスイッチバックして搬送させ、シートの後端と先端が入れ替わった状態で、該シートを両面トレイ３１４へと導くよう制御する。
【００３３】
両面トレイ３１４ではシート材を一旦積載し、その後、再給紙ローラ３１５によってシート材は再びレジストローラ３１６へと送り込まれる。このときシート材は、１面目の転写工程とは反対の面が感光ドラムと対向する側になって送られてきている。そして、先述したプロセスと同様にしてシートの第２面に対して２面目の画像を形成させる。そして、シート材の両面に画像が形成され、定着工程を経て排紙ローラ３１０を介して印刷装置本体内部から機外へとシートを排出させる。
制御部２０５は、以上のような一連のシーケンスによって、両面印刷を実行する。
【００３４】
また、印刷装置１００は、印刷処理に要するシートを収納する給紙部を有する。給紙部には、給紙カセット３１７、３１８（例えば、それぞれ５００枚のシートを収容可能）、給紙デッキ３１９（例えば、５０００枚のシートを収納可能）、手差しトレイ３２０等がある。給紙カセット３１７、３１８、ペーパーデッキ３１９は、サイズや材質の異なる各種シートを、給紙部ごとに区別してセットできる。また、手差しトレイ３２０は、ＯＨＰシート等の特殊なシートを含む各種シートをセットできる。
【００３５】
給紙カセット３１７、３１８、ペーパーデッキ３１９、手差しトレイ３２０には、それぞれに給紙ローラが設けられ、給紙ローラによってシートは１枚単位で連続的に給送される。
【００３６】
次に、図３に示す、印刷装置１００に接続されたシート処理装置２００ついて説明する。
【００３７】
本形態の印刷システム１０００におけるシート処理装置２００は、上流の装置から下流の装置にシート搬送路を介してシートを搬送できるならば、任意の種類の装置を任意の台数を連結することができる。例えば、図３に示すように、印刷装置１００に近い順に、大容量スタッカ２００−３ａ、糊付け製本機２００−３ｂ、中綴じ製本機２００−３ｃの順序で連結することができる。
【００３８】
また、シート処理装置２００のそれぞれがシート排出部を備え、ユーザは、シート処理がなされたシートを、それぞれのシート処理装置２００のシート排出部から取出すことができる。
【００３９】
制御部２０５は、ユーザから受付けた指示に基づいて、印刷装置１００に接続されたシート処理装置２００に関して、次に示すような処理を行う。
【００４０】
例えば、あるジョブに対して操作部２０４を介してシートの大量積載処理を行うようにユーザから指示されたとする。この場合に、制御部２０５は、その印刷ジョブのシートの印刷処理を印刷装置１００で実行させた後に、この印刷されたシートの大量積載処理を印刷装置１００に接続された大容量スタッカに実行させる。
【００４１】
一方、あるジョブに対して操作部２０４を介してくるみ製本処理を行うようにユーザから指示を受付けたとする。この場合、制御部２０５は、その印刷ジョブのシートの印刷処理を印刷装置１００で実行させた後に、この印刷されたシートのくるみ製本処理を印刷装置１００に接続された糊付け製本機に実行させる。
【００４２】
また、あるジョブに対して操作部２０４を介して天糊製本処理を行うようにユーザから指示されたとする。この場合、制御部２０５は、その印刷ジョブのシートの印刷処理を印刷装置１００で実行させた後に、この印刷されたシートの天糊製本処理を印刷装置１００に接続された糊付け製本機に実行させる。
【００４３】
一方、あるジョブに対して操作部２０４を介して中綴じ製本処理を行うように操作部２０４を介してユーザから指示されたとする。この場合、制御部２０５は、そのジョブのシートの印刷処理を印刷装置１００で実行させた後に、この印刷されたシートのステイプルを印刷装置１００に接続された中綴じ製本機に実行させる。
【００４４】
同様に、パンチ処理、断裁処理、折り処理、中綴じ製本処理の何れかを行うように操作部２０４を介して指示された場合にも、制御部２０５は、指示されたシート処理を印刷装置１００に接続された中綴じ製本機に実行させる。
【００４５】
このように、制御部２０５は、印刷装置１００に接続されたシート処理装置２００にて実行可能な種類のシート処理の候補の中から、ユーザが所望する種類のシート処理の実行要求を、操作部２０４を介して印刷実行要求とともに受付ける。そして、操作部２０４を介して処理対象となるジョブの印刷実行要求をユーザから受付けたことに応じて、制御部２０５は、そのジョブにて要する印刷処理をプリンタ部２０３に実行させる。そして、制御部２０５は、この印刷処理がなされたジョブのシートを、ユーザが所望するシート処理を実行可能なシート処理装置２００までシート搬送路を介して搬送させ、そのシート処理装置２００にてシート処理を実行させる。
【００４６】
例えば、図３のシステム構成にてユーザから印刷実行要求を受付けた処理対象のジョブが、大容量スタッカ２００−３ａによる大量積載処理を行うように指示されたジョブであるとする。このジョブを「スタッカジョブ」と呼ぶ。
【００４７】
このスタッカジョブを、図３のシステム構成にて処理する場合、制御部２０５は、印刷装置１００で印刷されたこのジョブのシートを、図３のＡ点を通過させて、大容量スタッカ内部へ搬送させる。その後、制御部２０５は、このジョブの積載処理を大容量スタッカ２００−３ａに実行させる。そして、制御部２０５は、大容量スタッカ２００−３ａによって積載処理がなされたこのジョブの印刷物を他の装置（例えば後段の装置）へ搬送せずに、大容量スタッカ２００−３ａ内部の排紙先Ｘに保持させる。
【００４８】
ユーザは、この図３の排紙先Ｘにホールドされたスタッカジョブの印刷物を、排紙先Ｘの個所から直接取出すことができる。それにより、図３のシート搬送方向、最下流の排紙先Ｚまでシートを搬送して、排紙先Ｚからスタッカジョブの印刷物を取出すといった、一連の装置の動作やユーザの操作が不要になる。
【００４９】
また、図３のシステム構成にてユーザから印刷実行要求を受付けた処理対象のジョブが、糊付け製本機２００−３ｂによるシート処理（例えば、くるみ製本処理、または、天糊製本処理の何れかの糊付け製本処理）を行うように指示されたジョブであるとする。このジョブを「糊付け製本ジョブ」と呼ぶ。
【００５０】
この糊付け製本ジョブを、図３のシステム構成にて処理する場合、制御部２０５は、印刷装置１００で印刷されたシートを、図３のＡ点及びＢ点を介して、糊付け製本機２００−３ｂ内部へ搬送させる。その後、制御部２０５は、このジョブの糊付け製本処理を糊付け製本機２００−３ｂで実行させる。そして、制御部２０５は、糊付け製本機２００−３ｂで糊付け製本処理がなされたこのジョブの印刷物を、他の装置（例えば後段の装置）へ搬送させずに、そのまま、糊付け製本機２００−３ｂ内部の排紙先Ｙに保持する。
【００５１】
更に、例えば、図３のシステム構成にてユーザから印刷実行要求を受付けた処理対象のジョブが、中綴じ製本機２００−３ｃによるシート処理を行うように指示されたジョブであるとする。中綴じ製本機２００−３ｃによるシート処理には、例えば、中綴じ製本、パンチ処理、断裁処理、シフト排紙処理、折り処理等がある。ここでは、このジョブを「中綴じ製本ジョブ」と呼ぶ。
【００５２】
この中綴じ製本ジョブを、図３のシステム構成にて処理する場合、制御部２０５は、印刷装置１００で印刷されたこのジョブのシートを、Ａ点及びＢ点及びＣ点を介して中綴じ製本機２００−３ｃに搬送させる。その後、制御部２０５は、中綴じ製本機２００−３ｃに実行させる。そして、制御部２０５は、この中綴じ製本機２００−３ｃによるシート処理がなされた中綴じ製本ジョブの印刷物を、中綴じ製本装置２００−３ｃの排紙先Ｚに保持させる。
【００５３】
尚、排紙先Ｚには複数の排紙先候補がある。これは、中綴じ製本機が複数種類のシート処理を実行することができ、シート処理ごとに排紙先をわける際に用いられるものである。
【００５４】
図１〜図３で説明したように、本形態の印刷システム１０００は、印刷装置１００に対して、複数台のシート処理装置２００を接続できる。そして、これら複数台のシート処理装置２００は、任意の組合せで、印刷装置１００に対して接続できる。また、これら複数台のシート処理装置２００の接続順序も、装置同士のシート搬送路がつながる範囲内において自由に変更することができる。また、印刷装置１００に接続可能なシート処理装置の候補も複数種類存在する。
【００５５】
次に、印刷装置１００に対して接続可能なシート処理装置２００の内部構成を、図４から図６を用いて種類別に説明する。
【００５６】
まず、図４に示す断面図を用いて、大容量スタッカの内部構成について説明する。大容量スタッカは、上流の装置から搬送されたシートを３つの搬送パスに選択的に搬送する。１つは、サンプルトレイパスであり、１つは、スタックパスであり、１つは、ストレートパスである。
【００５７】
大容量スタッカ内部に備えるスタックパスは、スタックトレイにシートを搬送するためのシート搬送路である。図４のスタックトレイは、伸縮可能なステイなどの上に載置される積載ユニットである。伸縮可能なステイの下には着脱可能な台車が備えられている。この台車を用いることで、スタックトレイに積載されたシートをオペレータが容易に運搬できる。
【００５８】
この大容量スタッカによりシートの積載処理を行うように設定されたジョブの実行要求を、操作部２０４を介してユーザから受付けたとする。この場合、制御部２０５は、印刷装置１００にて印刷されたシートを、この大容量スタッカが備えるスタックパスに搬送し、スタックパスを介してスタックトレイへ排紙する。
【００５９】
図４に示す大容量スタッカのストレートパスは、この大容量スタッカが有するスタックトレイを用いたシートの積載処理を要さないジョブのシートを後段の装置へ搬送するためのシート搬送路である。
【００６０】
サンプルトレイパスは、サンプルトレイにシートを排出するためのシート搬送路である。これらは、出力の確認を要する作業等を行う際に、スタックトレイからの出力物の取出しを簡略化する場合等に用いられる、例えば、この場合、制御部２０５は、印刷装置１００にて印刷されたシートをサンプルトレイパスへ搬送してサンプルトレイに排出させる。
【００６１】
尚、この大容量スタッカ内部のシート搬送路にはシートの搬送状況やジャムを検知するために要する複数のシート検知センサが設けられている。
【００６２】
また、大容量スタッカは不図示のＣＰＵを備え、これら各センサからのシート検知情報を、データ通信を行うための信号線を介して制御部２０５に通知する。制御部２０５は、この大容量スタッカからの情報に基づき、大容量スタッカ内部のシートの搬送状況やジャムを把握する。尚、大容量スタッカと印刷装置１００の間に他のシート処理装置２００が接続されている場合、そのシート処理装置２００が備える不図示のＣＰＵが、この大容量スタッカのセンサの情報を制御部２０５に通知する。
【００６３】
次に、図５に示す断面図を用いて、糊付け製本機の内部構成について説明する。
糊付け製本機は、上流の装置から搬送されたシートを、表紙パス、本身パス、ストレートパスの３つの搬送パスに選択的に搬送する。また、糊付け製本機はインサータパスを有する。インサータパスは、インサータトレイに置かれたシートを、表紙パスに搬送するシート搬送路である。
【００６４】
図５に示す糊付け製本機のストレートパスは、糊付け製本機による糊付け製本処理を要さないジョブのシートを後段の装置へ搬送するためのシート搬送路である。
【００６５】
また、図５に示す糊付け製本機の本身パスと表紙パスは、くるみ製本印刷物を作成する際に必要なシートを搬送するためのシート搬送路である。
【００６６】
例えば、この糊付け製本機を用いてくるみ製本印刷物を作成する場合、制御部２０５は、くるみ製本印刷物の本文用のシートに印刷されるべき本文用の画像データをプリンタ部２０３により印刷させる。尚、くるみ製本処理における、この本文用のシート束を「本身」と呼ぶ。
【００６７】
制御部２０５は、本身となる、印刷装置１００で印刷されたシートを、図５に示す本身パスへ搬送するように制御する。
【００６８】
そして、制御部２０５は、くるみ製本処理を行う場合、印刷装置１００にて印刷された本身を、表紙パスを介して搬送された表紙用のシートでくるむ処理を実行する。
【００６９】
例えば、制御部２０５は、上流側の装置から搬送された本身となるシートを、順次、図５の本身パスを介してスタック部にスタックさせる。本文データが印刷されたシートがスタック部に１冊に相当する枚数分スタックされると、制御部２０５は、表紙パスを介して、そのジョブにて要する表紙用の１枚のシートを搬送させる。
【００７０】
この動作に並行して、制御部２０５は、このスタック部に積載済みの本身に相当する１セット分のシート束の背表紙に対して、図５の糊付け部によって糊付け処理を実行させる。その後、この糊付け製本処理が行われた本身の背表紙部分と表紙の中央部とを糊付け部で接合させる。表紙に本身を接合する際に、本身が装置下方に押し込むように搬送される。これにより、本身が１枚の表紙でくるまれるように表紙の折り畳み処理がなされる。その後、この１セット分のシート束は、ガイドに添って、図５の回転台の上に積載される。
【００７１】
この１セット分のシート束が回転台にセットされた後に、制御部２０５は、この１セット分のシート束における背表紙部分に該当する端部以外の３つの端部を断裁する三方断裁処理をカッタ部で実行することができる。具体的に、制御部２０５は、１つの端部の断裁処理が実行されるごとに、シート束を図５の回転台を用いて９０度回転させる。この１つの端部の断裁処理を計３回行うことで、三方断裁処理を完了させる。
【００７２】
その後、制御部２０５は、この三方断裁処理済みのシート束を、幅寄せ部を用いて、バスケットの方向に押し出して、図５のバスケットに収納させる。
【００７３】
次に、図６に示す断面図を用いて、中綴じ製本機の内部構成について説明する。
【００７４】
中綴じ製本機は、印刷装置１００からのシートに対してステイプル処理、断裁処理、パンチ処理、折り処理、シフト排紙処理、中綴じ製本処理等を選択的に実行する各種ユニットを備える。また、この中綴じ製本機は、後段装置へのシート搬送機能の役目を果たすストレートパスを持たない。そのため、印刷装置１００に複数台のシート処理装置を接続する場合には、図３に示すように、この中綴じ製本機は最後尾に接続される。
【００７５】
また、中綴じ製本機は、図６に示すように、装置外部にサンプルトレイ、スタックトレイを有し、装置内部にブックレットトレイを有する。
【００７６】
制御部２０５は、この中綴じ製本機にてステイプルするように指示を受けた場合、印刷装置１００で印刷されたシートを、装置内部の処理トレイに順次スタックさせる。一束分のシートが処理トレイにスタックされたら、制御部２０５は、ステープラにてステイプルさせる。その後、制御部２０５は、このステイプルされたシート束を、この処理トレイから図６のスタックトレイへ排出させる。
【００７７】
また、制御部２０５は、中綴じ製本機にてＺ折りを行うように指示を受けたジョブを実行する場合、印刷装置１００で印刷されたシートに対してＺ折り部により、Ｚ字状に折り処理を実行する。そして、制御部２０５は、折り処理されたシートを、中綴じ製本機内を通過させて、スタックトレイ及びサンプルトレイ等の排出トレイに排紙するよう制御する。
【００７８】
また、制御部２０５は、中綴じ製本機にてパンチ処理設定を行うように指示を受けた場合、印刷装置１００で印刷されたシートに対してパンチャによるパンチ処理を実行する。そして、制御部２０５は、中綴じ製本機内を通過させて、スタックトレイ及びサンプルトレイ等の排出トレイに排紙するよう制御する。
【００７９】
また、制御部２０５は、中綴じ製本機にて中綴じ製本処理を行うように指示を受けたジョブを実行する場合、サドルステッチャ部によって、１セット分の複数枚のシートからなるシート束の中央部分に二箇所綴じを行わせる。その後、制御部２０５は、このシート束の中央部分をローラに噛ませることにより、シートの中央部分を基準とした二つ折りを行わせる。これにより、パンフレットのようなブックレットを作成できる。このように、サドルステッチャ部で中綴じ製本処理が施されたシート束は、ブックレットトレイに搬送される。
【００８０】
また、中綴じ製本処理を行うように指示を受けたジョブに対して、断裁処理を行うように指示を受付けた場合には、制御部２０５は、中綴じ製本されたシート束をブックレットトレイからトリマへ搬送させる。その後、制御部２０５は、トリマに搬送されたシート束をカッタ部によって断裁させ、このシート束をブックレットホールド部に保持させる。この図６の中綴じ製本機でも、中綴じ製本されたシート束の三方断裁処理が実行できるように構成されている。
【００８１】
尚、中綴じ製本機がトリマを持たない場合には、サドルステッチャ部で製本されたシート束は、ブックレットトレイから取り出すことができる。
【００８２】
また、中綴じ製本機は、図６のインサートトレイにセットされたシート（例えば予め印刷済みのカバーシート）を印刷装置１００から搬送される印刷装置１００で印刷されたシートに添付することもできるように構成されている。
【００８３】
次に、図７を用いて、操作部２０４の構成を説明する。
操作部２０４は、タッチパネル部４０１と、キー入力部４０２とを備える。
【００８４】
タッチパネル部４０１は、ＬＣＤ（Ｌｉｑｕｉｄ  Ｃｒｙｓｔａｌ  Ｄｉｓｐｌａｙ：液晶表示部）とその上に貼られた透明電極からなり、ユーザから指示を受付けるための各種設定画面を表示する。このタッチパネル部４０１は、各種画面を表示する機能とユーザからの指示を受付ける指示入力機能を兼ね備える。
【００８５】
キー入力部４０２は、電源キー５０１やスタートキー５０３、ストップキー５０２、ユーザモードキー５０５、テンキー５０６を備える。スタートキー５０３は、コピージョブや、送信ジョブを印刷装置１００に開始させる場合に、用いられる。テンキー５０６は、印刷部数等の数値入力の設定を行う場合に用いられる。
【００８６】
制御部２０５は、このタッチパネル部４０１に表示される各種画面を介して受付けたユーザ指示やキー入力部４０２を介して受付けたユーザ指示に基づいた各種処理を行うように印刷システム１０００を制御する。
【００８７】
図８は、印刷装置１００により印刷されたシートに対して実行すべきシート処理の種類をユーザにより選択するための設定画面である。制御部２０５は、タッチパネル部４０１に表示される画面上の図７に示すシート処理設定キーがユーザにより押されると、この図８の画面をタッチパネル部４０１に表示させる。この図８の画面は、印刷システム１０００に存在するシート処理装置２００を用いて実行可能なシート処理の種類をユーザが選択できるように構成された設定画面である。制御部２０５は、この図８の設定画面を介して、処理対象となるジョブにて実行すべきシート処理の設定をユーザから受付け、その設定に従ったシート処理をシート処理装置２００に実行させる。
【００８８】
また、図９に示す画面は、印刷装置１００にシート処理装置２００が接続されるケースにて、どのような種類のシート処理装置をどのような接続順序で何台接続するのか等を特定するための情報をユーザが登録できるように構成された設定画面である。制御部２０５は、ユーザモードキー５０５が押された場合に、この図９に示す画面をタッチパネル部４０１に表示できるように制御する。
【００８９】
例えば、印刷システム１０００を図３に示すようなシステム構成にする場合、図９に示すように、大容量スタッカ、糊付け製本機、中綴じ製本機の３台のシート処理装置を大容量スタッカから順番に印刷装置１００に接続する旨を示す登録情報を設定する。制御部３０１は、この図９の画面を介してユーザにより設定されたシート処理装置２００に係る情報をシステム構成情報としてＲＡＭ２０８に保持させ、適宜読出し、参照する。これにより、制御部２０５は、印刷装置１００に対して、どのような種類のシート処理が実行可能なシート処理装置をどのような接続順序で何台接続するのか等を認識する。
【００９０】
尚、この図９の画面において、ストレートパスを持たない中綴じ製本機を複数台のシート処理装置２００の途中に接続するような設定がユーザにより行われたとする。この場合、制御部２０５は、その設定を無効としてエラー表示をタッチパネル部４０１に行わせる。また、図９に示すように、制御部２０５は、このような設定を行うことなしに、中綴じ製本機は最後尾に接続するようにユーザに通知するためのガイダンス情報を表示させるようにしてもよい。
【００９１】
本形態では、印刷システム１０００に適用されるユーザインタフェース部の１例として印刷装置１００に具備される操作部２０４を例示しているが、これ以外でもよい。例えば、ＰＣ１０３やＰＣ１０４等の外部装置に具備されるユーザインタフェース部からの指示に基づいた処理を印刷システム１０００で実行できるように構成されている。
【００９２】
このように外部装置から印刷システム１０００を遠隔操作する場合、その装置の表示部に図１０に示すような印刷システム１０００に関する設定画面を表示させる。この１例としてＰＣ１０４を用いて説明する。図１０は、ＰＣ１０４が備えるディスプレイに表示される表示画面の例である。
【００９３】
ＰＣ１０４が備えるＣＰＵは、ユーザから印刷要求を受付けた場合に、図１０に示すような画面をディスプレイに表示させて、この画面を介して印刷処理条件の設定をＰＣ１０４のユーザから受付ける。例えば、ＰＣ１０４から印刷実行要求がなされるジョブのためにシート処理装置２００で実行させるべきシート処理の種類を、ＰＣ１０４のＣＰＵは設定欄１７０２を介してユーザから受付ける。そして、図１０のＯＫキーが押され、印刷実行要求を受付けた場合、ＰＣ１０４が備えるＣＰＵは、この画面を介して受付けた印刷処理条件と印刷されるべき画像データとを関連付け１つのジョブとする。そして、制御部２０５は、当該ジョブを印刷システム１０００に対してネットワーク１０１経由で送信するよう制御する。一方、印刷システム１０００にて、制御部２０５は、このジョブの印刷実行要求を外部Ｉ／Ｆ部２０２を介して受付けたら、このＰＣ１０４からのジョブをこのＰＣ１０４からの印刷処理条件に基づいて処理するように印刷システム１０００を制御する。このように、印刷システム１０００のユーザインタフェースとして、操作部２０４以外にも、種々のユニットを提供できる。
【００９４】
以上のような構成を有する印刷システム１０００にて、制御部２０５は、印刷システム１０００における調整動作を所定のタイミングで行う。
【００９５】
なお、本実施形態では、ジョブの例としてホストＰＣから受信した印刷ジョブを例にとって説明する。しかし、ジョブの種類はこれに限らず、コピージョブであってもよい。
【００９６】
制御部２０５によって実行される調整動作には、濃度調整、階調補正、糊温度調整、給紙部調整などがある。
【００９７】
濃度調整とは、感光ドラム３０４上にテストパターンパッチを出力し、パッチを不図示のセンサで読み取り、その結果に基づいて、印刷濃度（トナーの量）を調整する調整動作である。
【００９８】
階調補正とは、感光ドラム３０４上にカラーパッチを出力し、出力したカラーパッチを不図示のセンサで感知し、感知した結果に基づいて階調の補正を行う調整動作である。
【００９９】
糊温度調整とは、図５に示すくるみ製本装置にて実行される製本処理において用いられる糊を溶かすために、ヒーターの温度を調整する調整動作である。
【０１００】
給紙部調整とは、印刷媒体の種類に応じて両面印刷時の表の画像と裏の画像の、画像の印刷位置を調整する調整動作である。例えば、給紙部にセットされた印刷媒体の種類を検知し、その印刷媒体の種類に応じた、表面と裏面の画像の印刷位置の補正を行う。
【０１０１】
制御部２０５は、これらの調整動作を所定のタイミングで自動的に実行する。そして、当該調整動作を実行している間、制御部２０５は印刷ジョブを実行しない。なぜならば、調整動作の実行中に、印刷ジョブを実行すると、印刷物の品質を保証できないためである。制御部２０５は、調整動作が完了してから印刷ジョブを実行することによって、印刷物の品質の低下を抑制することができる。なお、所定のタイミングがどのようなタイミングかについては後述する。
【０１０２】
一方、印刷システム１０００において、制御部２０５は、カセットオープン、用紙なし、トレイフルなどが発生したことによって、印刷ジョブの実行を中断する。本実施形態では、これらを「印刷中断要因」と呼ぶ。
【０１０３】
「カセットオープン」は、給紙先となる給紙カセット３１７、３１８が、例えば用紙補充のために開けられた状態のことである。制御部２０５は、給紙先の給紙カセットがあいていることを、給紙カセットが備える不図示のセンサによって検知している場合に、印刷処理に用いる用紙を給紙できないため、印刷ジョブの実行を中断する。
【０１０４】
「用紙なし」は、給紙先となる給紙カセット３１７、３１８の用紙が無い状態のことである。制御部２０５は、給紙先の給紙カセットに用紙が無いことを、給紙先が備える不図示の用紙有無検知センサによって検知している場合に、給紙先となる給紙カセットから印刷処理に用いる用紙を給紙できないため、印刷ジョブの実行を中断する。
【０１０５】
「トレイフル」は、排紙先のトレイに積載された用紙が満載の状態のことである。制御部２０５は、排紙先トレイが備える不図示の満載検知センサによって、排紙先トレイが満載状態であることを検知すると、印刷されたシートを排出することができないため、印刷ジョブの実行を中断する。
【０１０６】
本実施形態に係る印刷システム１０００において、制御部２０５は、所定のタイミングに自動的に調整動作を実行するだけでなく、「印刷中断要因」が発生した場合にも調整動作を実行可能にする。
【０１０７】
図１１は、その印刷中断要因の発生に応じて実行可能にする調整動作の設定を行う設定画面の一例である。ユーザは、当該設定画面を介して、印刷システム１０００に印刷中断要因が発生したことに応じて実行可能にする調整動作を指定することができる。この設定画面を介して、制御部２０５は、ユーザから印刷システム１０００に印刷中断要因が発生したことに応じて実行可能にする調整動作の設定を受付ける。
【０１０８】
この図１１の画面において、２１０３や２１０４等に示す各ボタンは、２１０１に記載された各印刷中断要因と、２１０２に記載された調整動作とのそれぞれに対応するかたちで図１１の画面内に配置されている。
【０１０９】
制御部２０５は、複数のボタンのうち、２１０１に記載された印刷中断要因の発生に応じて実行可能にするように設定された調整動作に対応するボタンを、２１０４に示すようにハイライトした状態（指定可能な状態）で表示する。一方、制御部２０５は、２１０１に記載された印刷中断要因が発生した場合に実行を禁止するように設定された調整動作に対応するボタンを２１０３に示すようにハイライトしない状態で表示する。
【０１１０】
図１２は、図１１に示す画面を介して、ユーザによりなされた設定に基づいて制御部２０５により作成される、印刷中断要因の発生に応じて実行可能にする調整動作の設定を記憶したテーブルである。以下、このテーブルを対応テーブルと呼ぶ。
【０１１１】
例えば、図１１に示すように設定された状態で、ＯＫキー２１０５が押されると、制御部２０５は、図１２に示す対応テーブルをＨＤＤ２０９に記憶する。具体的に説明すると、制御部２０５は図１１に示す画面で、印刷中断要因の発生に応じて実行可能にするように設定がなされた調整動作については○を格納し、実行を禁止するように設定がなされた調整動作については×を格納する。
【０１１２】
以降、印刷中断要因が発生した場合には、制御部２０５は、この対応テーブルを参照して、各調整動作が実行可能に設定されているか否かを判定する。
【０１１３】
図１３は、各調整動作の実行履歴や次回調整動作を実行すべきタイミングを示す時間情報や、次回調整動作を実行すべき印刷枚数を示す枚数情報、調整動作の予想所要時間など、各調整動作に関わる情報を管理するテーブルである。このテーブルは、制御部２０５によって、ＨＤＤ２０９に格納され、必要に応じて更新される。以下、このテーブルを情報テーブルと呼ぶ。
【０１１４】
例えば、制御部２０５は、最後に調整動作を行った時刻を「最終実行時刻」に記録する。また、制御部２０５は、調整動作ごとに、最終実行時刻に、調整動作ごとに予め定められた時間を足して、次に調整動作を実行する予定時刻を決定し「次回定期実行時刻」に記録する。例えば、「濃度調整を最終実行時刻から１５分後に実行する」ように設定されているとする。その場合、制御部２０５は、濃度調整を最後に実行した時刻「最終実行時刻」に１５分足した時刻を「次回定期実行時刻」に設定する。また、例えば、「階調補正を最終実行時刻から２０分後に実行する」ように設定されているとする。その場合、制御部２０５は、濃度調整を最後に実行した時刻「最終実行時刻」に２０分足した時刻を「次回定期実行時刻」に設定する。
【０１１５】
制御部２０５は、この情報テーブルに基づいて、定期的に調整動作を実行する。例えば、制御部２０５は、不図示のタイマから現在時刻を参照し、現在時刻が各調整動作の次回定期時刻になったか否か判定し、次回定期時刻になったと判定した調整動作を印刷システム１０００にて実行する。
【０１１６】
また、制御部２０５は、調整動作を実行するまでの印刷枚数も各調整動作に関わる情報を管理するテーブルを用いて管理する。制御部２０５は、「調整動作までの残り印刷枚数」欄に記録された値から、印刷処理を実行する際に出力した用紙の枚数の値を減算していく。そして、制御部２０５は、「調整動作までの残り印刷枚数」欄に記録された値が０になったと判定した場合に、その調整動作を実行するように制御する。
【０１１７】
また、制御部２０５は、調整動作を実行したときに、「調整動作までの残り印刷枚数」欄の値をリセットする。具体的には、制御部２０５は、調整動作を実行した際に、調整動作ごとに予め定められた枚数を図１３のテーブルの「調整動作までの残り印刷枚数」欄に設定する。例えば、制御部２０５は、濃度調整について、濃度調整を実行してから８００枚印刷したと判定したときに濃度調整を実行するように設定されているとすると、濃度調整を実行した際に８００枚を設定する。
【０１１８】
ちなみに、図１３に示すテーブルは、制御部２０５が、あるタイミングで濃度調整を実行し、予め定められた枚数８００枚を設定した後、３００枚の印刷が実行された際のテーブルの状態の例を表したものである。尚、複数種類の調整動作のうち、糊温度調整については「調整動作までの残り印刷枚数」欄には値が設定されていない。これは、制御部２０５が、糊温度調整を印刷枚数に基づいては行わないように設定されているためである。
【０１１９】
尚、ここでは、印刷枚数計測の方法として、印刷処理を実行する際に出力した用紙の枚数の値を予め定められた枚数から減算していく例を説明した。しかし、これに限らず、制御部２０５は、出力した用紙の枚数をカウントアップし、予め定められた枚数（またはその枚数以上）になった場合に、調整動作を再実行するように制御してもよい。その場合、制御部２０５は、調整動作を実行した場合に、カウントアップされる用紙の枚数を示す値を０にリセットする。
【０１２０】
また、ここでは経過時間計測の方法として、「最終実行時刻」に１５分足した時刻を「次回定期実行時刻」に設定し、「次回定期実行時刻」になった場合に、制御部２０５は、調整動作を実行する場合について説明した。しかし、これに限らず、最後に調整動作を実行してからの時間を計測し、予め定められた所定の時間以上になった場合に、制御部２０５は、調整動作を実行するように制御してもよい。予め定められた時間をテーブルに設定し、経過した時間を計測し、計測された時間を減算し、減算した時間が０になった場合に、制御部２０５は、調整動作を再実行するように制御してもよい。
【０１２１】
では、以下に図１４のフローチャートを用いて、本実施形態における制御部２０５の制御例について具体的に説明する。尚、本実施形態では、ユーザによって図１１に示すように設定された状態でＯＫキー２１０５が押され、制御部２０５が、図１２に示すような対応テーブルを生成し、生成した対応テーブルをＨＤＤ２０９に保持しているものとする。
【０１２２】
まず、Ｓ１４０１で、制御部２０５は、実行すべき印刷ジョブがあるか否かを判定する。例えば、制御部２０５は、ＰＣ１０３から受信した印刷ジョブ、または、スタートキー５０３によってコピー処理の実行要求を受けたコピージョブがＨＤＤ２０９に格納されていると判定した場合にＳ１４０２に処理を進める。以下、印刷システム１０００がＰＣ１０３のような外部装置から受付けた印刷ジョブもコピージョブも、印刷ジョブとして説明する。一方、Ｓ１４０１で、制御部２０５は、実行すべき印刷ジョブがない場合に、Ｓ１４０１の処理を繰り返す。
【０１２３】
次にＳ１４０２で、制御部２０５は、実行すべき印刷ジョブの実行を開始する。そしてＳ１４０３に処理を進める。
【０１２４】
Ｓ１４０３で、制御部２０５は、印刷実行要求を受けた印刷ジョブの実行が完了したか否かを判定する。Ｓ１４０３で、印刷ジョブの実行が完了したと判定した場合に処理を終了する。一方、Ｓ１４０３で、印刷ジョブの実行が完了していない場合にＳ１４０４に処理を進める。
【０１２５】
Ｓ１４０４で、制御部２０５は、印刷ジョブの実行中に「カセットオープン」や「用紙なし」、「トレイフル」等の印刷中断要因が発生したか否かを判定する。
【０１２６】
制御部２０５は、印刷中断要因が発生したと判定した場合にＳ１４０５に処理を進める。一方、印刷中断要因が発生していない場合には、Ｓ１４０２に処理を進める。
【０１２７】
Ｓ１４０５で、制御部２０５は印刷ジョブの実行を中断する。そして、Ｓ１４０６に処理を進める。
【０１２８】
Ｓ１４０６で、制御部２０５は、発生した印刷中断要因に関する情報をＲＡＭ２０８に記憶する。例えば、制御部２０５は、印刷中断要因に関する情報として、発生した印刷中断要因の種類（印刷中断要因が「カセットオープン」、「用紙なし」、「トレイフル」のいずれであるか）に関する情報や、印刷中断要因の発生時刻の情報等を格納する。
【０１２９】
例えば、給紙部に設けられた開閉センサから給紙部が開いていることを示す信号を受信して印刷処理を中断した場合、制御部２０５は、印刷中断要因が「カセットオープン」状態であることを示す情報をＲＡＭ２０８に格納する。
【０１３０】
また、給紙部に設けられた用紙有無検知センサから紙が無いことを示す信号を受信して印刷ジョブの実行を中断した場合、制御部２０５は、印刷中断要因が「用紙なし」状態であることを示す情報をＲＡＭ２０８に格納する。
【０１３１】
また、排紙トレイの満載検知センサから、排紙トレイに積載されたシートが満載である旨を示す信号を受信して印刷ジョブの実行を中断した場合、制御部２０５は印刷中断要因が「トレイフル」であることを示す情報をＲＡＭ２０８に格納する。そして、Ｓ１４０７に処理を進める。
【０１３２】
Ｓ１４０７で、制御部２０５は、印刷中断要因が解除されたか否か判定する。
【０１３３】
例えば、印刷中断要因が「カセットオープン」の場合には、開いている状態の給紙カセットが閉じられたことを開閉検知センサによって検知した場合に、印刷中断要因が解除されたと判定する。
【０１３４】
また、印刷中断要因が「用紙なし」の場合には、給紙先となる給紙カセットに用紙が補充されたことを、用紙有無検知センサによって検知した場合に印刷中断要因が解除されたと判定する。
【０１３５】
また、印刷中断要因が「トレイフル」の場合には、出力先排紙トレイに積載されたシートが取り除かれる等して、満載検知センサによる満載状態を示す信号を受信しなくなった場合に、印刷中断要因が解除されたと判定する。
【０１３６】
制御部２０５は、印刷中断要因が解除されたと判定した場合に、ＲＡＭ２０８に格納された印刷中断要因に関する情報を削除し、Ｓ１４０２に処理を進める。制御部２０５は、印刷中断要因が解除されていないと判定した場合にＳ１４０８に処理を進める。
【０１３７】
Ｓ１４０８で、制御部２０５は、ＲＡＭ２０８に格納された印刷中断要因に関する情報をもとに図１２に示す対応テーブルを参照し、実行可能な調整動作を特定し、Ｓ１４０９で、実行可能な調整動作があるか否か判定する。Ｓ１４０９における判定の結果、実行可能な調整動作がないと判定した場合に、Ｓ１４０７に処理を進める。実行可能な調整動作があると判定した場合に、Ｓ１４１０に処理を進める。
【０１３８】
例えば、Ｓ１４０８で印刷中断要因が「カセットオープン」状態である場合に、制御部２０５は、図１２の対応テーブルを参照して、複数の調整動作のうち実行可能な調整動作はないと判定し、Ｓ１４０７に処理を進める。
【０１３９】
一方、Ｓ１４０８で印刷中断要因が「用紙なし」状態である場合に、制御部２０５は、図１２の対応テーブルを参照し、複数の調整動作のうち「濃度調整」、「階調補正」、「糊付け温度調整」を実行可能であると判定する。また、制御部２０５は、「給紙部調整」は実行を禁止すべき調整動作であると判定する。そして、実行可能な選択項目があるので、Ｓ１４１０に処理を進める。
【０１４０】
また、Ｓ１４０８で印刷中断要因が「トレイフル」状態である場合に、制御部２０５は、図１２の対応テーブルを参照し、複数の調整動作のうち「階調補正」、「糊付け温度調整」、「給紙部調整」を実行可能であると判定する。また、制御部２０５は、「濃度調整」は実行を禁止すべきであると判定する。そして、実行可能な選択項目があるので、Ｓ１４１０に処理を進める。
【０１４１】
Ｓ１４１０で、制御部２０５は、Ｓ１４０８で特定した調整動作の情報に基づいて、操作部２０４に図１５や図１６に示すような調整動作選択画面を表示する。
【０１４２】
例えば、印刷中断要因が「用紙なし」の場合に、制御部２０５は、図１５のように、「濃度調整」、「階調補正」、「糊付け温度調整」をユーザに対して選択可能に表示し、「給紙部調整」をグレイアウトする等、選択不可能に表示する。
【０１４３】
また、印刷中断要因が「トレイフル」の場合に、制御部２０５は、図１６のように、「階調補正」、「糊付け温度調整」、「給送部調整」をユーザに対して選択可能に表示し、「濃度調整」をグレイアウトする等、選択不可能に表示する。
【０１４４】
このように、ユーザに選択候補を提示することによって、ユーザは状況に応じて、実行すべき処理を選択することができる。
【０１４５】
また、調整動作に関わる情報を保持する図１３のテーブルを参照することによって、図１５や図１６のように調整動作の予想所要時間を表示し、ユーザは調整動作を実行するか否かの判断基準とすることも可能である。それによって、ユーザは、各種調整動作の所要時間を知ることができ、よりユーザが所望するかたちで、調整動作の実行を指示可能にする。そして、Ｓ１４１１に処理を進める。
【０１４６】
Ｓ１４１１で、制御部２０５は、調整動作が選択されたか否か判定する。制御部２０５は、例えば図１５や図１６に示すキャンセルキーが押される等して、調整動作が選択されなかった場合にはＳ１４０６に処理を進める。Ｓ１４１１で選択された調整動作が選択された場合には、Ｓ１４１２に処理を進める。
【０１４７】
Ｓ１４１２で、制御部２０５は、ユーザによって図１５や図１６の画面を介して選択された調整動作を実行する。
【０１４８】
Ｓ１４１３で、制御部２０５は、図１３に示す情報テーブルに記載された調整動作に関する情報を更新する。例えば、図１３に示す情報テーブルのうち、実行した調整動作の最終操作時刻を、現在の時刻に設定しなおす。また、その際に、制御部２０５は、最終操作時刻に予め定められた時間を足し、次回定期実行時刻を設定し直す。さらに、制御部２０５は「調整動作までの残り印刷枚数」欄の値をリセットする（予め定められた値８００枚に設定する）。それによって、印刷中断要因の発生により印刷処理が中断している間に調整動作を実行することによって、印刷中断要因の解消後、次に調整動作を実行するタイミングを遅らせることができる。そして、Ｓ１４０７に処理を進める。
【０１４９】
このように本実施形態によれば、印刷中断要因が印刷システム１０００に存在し、印刷ジョブの実行が中断している間に、制御部２０５は上述したような調整動作を実行することができる。例えば、制御部２０５は、印刷中断要因が印刷システム１０００に発生したことに応じて図１５や図１６に示す画面を操作部２０４に表示する。そして、制御部２０５は、ユーザによって選択された調整動作を実行する。それによって、ユーザは、印刷中断要因の発生に応じて、所望する調整動作を制御部２０５に実行させることができる。
【０１５０】
また制御部２０５は、印刷中断要因によって印刷ジョブの実行を中断している間に調整動作を実行することで、次に調整動作を実行すべきタイミングに関する情報を更新し、次回の調整動作の実行タイミングを遅らせることができる。それによって、例えば、用紙なし等の印刷中断要因が用紙の補充により解消された直後に調整動作の実行に入るといった印刷中断頻度の増加を抑え、ユーザが印刷の再開を待つ際のストレスを抑えることができる。また、印刷の中断期間が延長することによる印刷システムの生産性の低下を抑制することができる。
【０１５１】
尚、印刷中断要因の発生に応じて実行するように設定された調整動作が複数存在する場合には、制御部２０５は、それらが並行して実行可能な調整動作であるか否か判定し、同時に実行可能な場合には同時に実行可能にするとよい。例えば、制御部２０５は、図１５や図１６に示す画面を介して、複数の調整動作の選択を受付け、受付けた調整動作を並行して実行可能か否か判断し、実行可能である場合には、並行して調整動作を実行するようにしてもよい。
【０１５２】
それによって、複数の調整動作を同時に進行させることができるため、より効率的に調整動作をおこなうことができる。
【０１５３】
（実施形態２）
上述した実施形態１では、制御部２０５は、ユーザにより予め設定された印刷中断要因の発生に応じて実行可能にする調整動作のうち、ユーザにより選択された調整動作を実行する例を説明した。
【０１５４】
本実施形態２では、制御部２０５が、ユーザにより予め設定された調整動作のうち、印刷中断要因の発生に応じて実行すべき調整動作を、ユーザの操作を介することなく特定して自動的に調整動作を実行する例について説明する。
【０１５５】
図１７は、本実施形態に係る制御の例を示すフローチャートである。
【０１５６】
実施形態１で説明した図１４のフローチャートで説明したものと同じ制御については、図１４と同じ番号を付けてあり、説明を省略する。尚、本実施形態でも、ユーザによって図１１に示すように設定された状態でＯＫキー２１０５が押され、制御部２０５が、図１２に示すような対応テーブルを生成し、生成された対応テーブルをＨＤＤ２０９に保持するものとする。
【０１５７】
Ｓ１４０８で、制御部２０５が、印刷中断要因の発生に応じて実行可能な調整動作を、図１２の対応テーブルを用いて特定するとＳ１７０１に処理を進める。
【０１５８】
Ｓ１７０１で、制御部２０５は、図１２の対応テーブルを用いて特定した実行可能な調整動作のうち、実行すべき調整動作があるか否か判定する。制御部２０５が、実行すべき調整動作を認識する方法について、図１８の情報テーブルを用いて説明する。
【０１５９】
図１８は、実施形態１に係る情報テーブルと同様、各調整動作の実行履歴や次回調整動作を実行すべきタイミング、予想所要時間など、各調整動作に関わる情報を管理する情報テーブルである。この情報テーブルは、制御部２０５によって、ＨＤＤ２０９に格納されている。
【０１６０】
例えば、制御部２０５は、各調整動作が行われた時刻を「最終実行時刻」に記録する。また、制御部２０５は、調整動作ごとに、最終実行時刻をもとに次回実行予定の時刻を決定し、「次回定期実行時刻」に記録する。例えば、濃度調整動作の場合、「最終実行時刻から１５分後に、実行する」ように設定されているとする。その場合、制御部２０５は、濃度調整を最後に実行した時刻「最終実行時刻」に１５分足した時刻を「次回定期時刻」に設定する。
【０１６１】
また、「最短実行間隔」には、調整動作ごとに、最終実行時刻を起点として、その調整動作を実行する必要のない時間が設定されている。印刷中断要因の発生に応じて、制御部２０５は、最終実行時刻を起点として最短実行間隔に記録された時間が経過しているか否か判定し、経過している調整動作を実行すべき調整動作として認識する。一方、制御部２０５は、最終実行時刻から最短実行間隔に記録された時間が経過していない調整動作については実行すべき調整動作として認識しない。それによって、不要な調整動作の実行回数を減少させることができる。なお、「最短実行間隔」に、図示された値よりも短い時間を設定できるようにしてもよいことは言うまでもない。最短実行実行間隔に短い時間を設定することによって、前回調整動作をおこなった直後に印刷中断要因が発生した場合に、当該調整動作をおこなったばかりなのに再度行うといった不要な調整動作の実行を抑制することができる。「予想所要時間」は、制御部２０５が各調整動作を行うために必要な時間が設定されている。「優先度」は、印刷中断要因の発生に応じて、実行する調整動作を決定するときに用いられる値であり、優先度の数値が大きいものほど優先度が高いことを表す。
【０１６２】
制御部２０５は、このような図１８に示す情報テーブルを用いて、実行すべき調整動作を認識する。制御部２０５は、不図示のタイマから取得した現在時刻を参照して、情報テーブルに示された調整動作のうち、最終実行時刻を起点として最短実行間隔に示された時間が経過している調整動作を実行すべき調整動作として判定する。
【０１６３】
そして、制御部２０５は、実行すべき調整動作があると判定した場合に、Ｓ１７０２に処理を進める。一方、制御部２０５は、実行すべき調整動作がないと判定した場合にはＳ１４０７に処理を進める。
【０１６４】
尚、実行すべき調整動作の判定方法は別の方法を用いてもよい。例えば、制御部２０５は、不図示のタイマ等から現在時刻を取得し、現在時刻から次回定期実行時刻までの時間が所定時間（例えば５分）よりも短い時間である調整動作を、実行すべき調整動作として判定しても良い。つまり、制御部２０５は、実行開始までの時間が短い調整動作を、印刷中断要因が発生してから、印刷ジョブの実行が再開されるまでの間に実行しておく。それによって、印刷中断要因が解除された直後に、次回定期実行時刻になった調整動作の実行が開始され、そのために印刷処理の開始が遅延するといった事態をより効果的に防ぐことができる。
【０１６５】
実行すべき調整動作がある場合に、Ｓ１７０２で、制御部２０５は、図１８の情報テーブルを用いて、実行すべき調整動作の優先度を参照する。そして、Ｓ１７０３に処理を進める。
【０１６６】
Ｓ１７０３で、制御部２０５は、実行すべき調整動作のうち、最も優先順位が高いものから順に調整動作を実行する。そしてＳ１４１１に処理を進め、制御部２０５は、情報テーブルの情報を更新する。例えば、図１８に示す情報テーブルのうち、実行した調整動作の最終操作時刻を、現在の時刻に設定しなおす。また、その際に、制御部２０５は、最終操作時刻に予め定められた時間を足し、次回定期実行時刻を設定し直す。さらに、制御部２０５は、「調整動作までの残り印刷枚数」欄の値をリセットする（予め定められた値８００枚に設定する）。
【０１６７】
このように、本実施形態によれば、制御部２０５は、印刷システムにて印刷中断要因が発生したことに応じて、調整動作を実行可能にすることができる。そして、印刷中断要因の発生によって印刷処理が中断している間に調整動作を実行することによって、印刷中断要因の解消後、次に調整動作を実行するタイミングを遅らせることができる。
【０１６８】
また、例えば用紙なし等の印刷中断要因が用紙の補充により解消された直後のタイミングで調整動作の実行に入り、印刷処理の中断期間が延長され、印刷処理の再開が遅くなることを抑えることができる。これにより、中断頻度を低減することで、印刷中断要因発生後にユーザが印刷処理の再開を待つ際のストレスを抑えることができ、また、印刷システムの生産性を維持することができる。
【０１６９】
また制御部２０５は、ユーザにより予め設定された調整動作のうち印刷中断要因の発生に応じて、ユーザの操作を介さずに、実行すべき調整動作を特定して自動的に調整動作を実行することができる。それによって、印刷中断要因が発生した場合にユーザに手間をかけることなく、自動的に優先度の高い調整動作を実行することによって、より効率的に調整動作をおこなうことができる。
【０１７０】
尚、印刷中断要因の発生に応じて実行するように設定された調整動作が複数存在する場合には、制御部２０５は、それらが並行して実行可能な調整動作であるか否か判定し、同時に実行可能な場合には並行して実行するとよい。それによって、複数の調整動作を同時に進行させることができるため、より効率的に調整動作をおこなうことができる。
【０１７１】
（実施形態３）
実施形態２では、印刷中断要因の発生に応じて調整すべき印刷処理の中から、予め定められた優先度に従って、決定した調整動作を実行する例を説明した。
【０１７２】
実施形態３では、印刷中断要因の発生に応じて、印刷処理が中断したジョブに後続するジョブに関わる情報に基づいて決定する制御例を説明する。尚、本実施形態において、システムの構成や基本的な処理については、実施形態２に説明したものと同様である部分については説明を省略する。
【０１７３】
例えば、ＰＣ１０３がユーザから印刷設定を受付け、ＰＣ１０３の制御部は、その印刷設定に基づいた印刷設定情報を印刷データに関連付けて、１つのジョブとして印刷システム１０００に送信する。この方法で、ＰＣ１０３は、ユーザからジョブＡ、ジョブＢ、ジョブＣを実行するように指示を受け、印刷システム１０００に送信した場合を想定する。
【０１７４】
その場合、印刷システム１０００は、ジョブＡ、ジョブＢ、ジョブＣを受信し、ＨＤＤ２０９に格納する。そして、印刷システム１０００の制御部２０５は、他に実行している印刷ジョブが無い場合には、ジョブＡの実行を開始する。図１９は、このときに操作部２０４のタッチパネル部に表示されるジョブ状況画面である。
【０１７５】
ジョブＡは、印刷処理の実行中であるため、制御部２０５は、ジョブＡの状況欄に「プリント中」と表示する。
【０１７６】
ジョブＢ及びジョブＣは印刷処理の実行待ち状態であるため、制御部２０５は、ジョブＢ及びジョブＣの状況欄に「プリント待ち」と表示する。
【０１７７】
この状況で、印刷装置１００において、ジョブＡの給紙先となる給紙カセットが用紙なしになった場合を想定する。
【０１７８】
この場合、制御部２０５は、印刷中断要因が「用紙なし」であることを示す情報をＲＡＭ２０８に格納し、ジョブＡの実行を一時的に中断する。そして、制御部２０５は、図２０に示すジョブ状況画面をタッチパネル部４０１に表示する。
【０１７９】
また、制御部２０５は、印刷中断要因が発生したことに応じて調整すべき調整動作を特定するが、この際にジョブＡに後続するジョブＢに関わる情報に基づいて、印刷システム１０００にて実行する調整動作を決定する。例えば、制御部２０５は、ジョブＢが有する印刷設定情報に基づいて、ジョブＢが、糊付け製本処理を必要とする処理（例えば、くるみ製本処理）を実行するように指定されたジョブであるか否か判定する。
【０１８０】
制御部２０５は、ジョブＢがくるみ製本処理を実行するように指定されたジョブではないと判定した場合には、実施形態２で説明したように、優先度の最も高いものから順に調整動作を実行する。一方、制御部２０５は、ジョブＢがくるみ製本処理を実行するように指定されたジョブであると判定した場合に、実行すべき調整動作のうちジョブＢの実行に関係する「糊温度調整」を他の調整動作よりも優先して実行する。
【０１８１】
このように本実施形態によれば、制御部２０５は、印刷システムにて印刷中断要因が発生したことに応じて、調整動作を実行可能にすることができる。そして、印刷中断要因の発生によって印刷処理が中断している間に調整動作を実行することで、印刷中断要因が解消し、印刷処理を実行可能な状態になった後、次に調整動作を実行するタイミングを遅らせることができる。
【０１８２】
また、例えば用紙なし等の印刷中断要因が用紙の補充により解消された直後のタイミングで調整動作の実行に入り、印刷処理の中断期間が延長され、印刷処理の再開が遅くなることを抑えることができる。これにより、中断頻度を低減することで、印刷中断要因発生後にユーザが印刷処理の再開を待つ際のストレスを抑えることができ、また、印刷システムの生産性を維持することができる。
【０１８３】
また本実施形態によれば、例えば、印刷中断要因の発生時に、実行すべき調整動作の中に後続ジョブの実行に影響を与える調整動作がある場合には、その調整動作を他の調整動作に優先して実行することができる。それによって、後続ジョブの実行をスムーズに行うことができる。
【０１８４】
（その他の実施形態）
以上に説明した実施形態では、印刷処理の中断中に実行された調整動作を次に実行すべきタイミングを次のような方法で遅らせている。制御部２０５は、印刷中断要因の発生によって印刷処理を中断している間に実行した調整動作の実行時刻（最終実行時刻）に、予め定められた時間を加算した時刻を、次回定期実行時刻に記録する。それによって、次に調整動作を実行するタイミングを遅らせることができる。しかし、次に調整動作を実行するタイミングを遅らせる方法はこれに限るものではない。
【０１８５】
例えば、制御部２０５は、印刷中断要因の発生により印刷処理を中断している間に実行した調整動作を記憶しておき、その調整動作については次回定期実行時刻がきても実行しないように制御してもよい。それによって、調整動作の実行を一度スキップすることができる。なお、その場合、制御部２０５は、スキップした後に調整動作を行うべき時間として、次回定期実行時刻に予め定められた時間を加算した値を新たな値として設定する。それによっても、例えば用紙なし等の印刷中断要因が用紙の補充により解消された直後のタイミングで調整動作の実行に入り、印刷処理の中断期間が延長され、印刷処理の再開が遅くなることを可能な限り抑えることができる。これにより、中断頻度を低減することで、印刷中断要因発生後にユーザが印刷処理の再開を待つ際のストレスを抑えることができ、また、印刷システムの生産性を維持することができる。
【０１８６】
以上の実施形態では、印刷中断要因「用紙無し」、「トレイフル」、「カセットオープン」が発生した場合に、「濃度調整」や「階調補正」等、いずれの調整動作も実行できていた。しかしながら、例えば、「紙詰まり」等の印刷中断要因が発生した場合に、「濃度調整」や「階調補正」は実行しないように制御することが好ましい。なぜならば、感光ドラム３０４にパッチをうち、感光ドラム３０４を回転させて行う「濃度調整」や「階調補正」等の印刷装置にて実行する調整動作は、紙が感光ドラムに接する個所で詰まっている場合に、適切に調整動作が実行できないためである。ただ、印刷装置１００にて「紙詰まり」が発生した場合に実行可能な調整動作も存在する。例えば、印刷装置１００とは別の糊付け製本機２００−３ｂにて実行する「糊温度調整」である。そこで、制御部２０５は、印刷装置１００にて「紙詰まり」等の印刷中断要因が発生した場合に印刷装置１００にて行う調整動作を実行させることは禁止し、印刷装置１００とは別の装置にて行う調整動作の実行は許可するとよい。それによって、印刷中断要因が発生したことによって、実行可能な調整動作が制限される場合であっても、実行可能な調整動作については実行することができる。
【０１８７】
以上に説明した実施形態では、印刷中断要因が発生した場合に実行すべき調整動作が残っていても、ユーザによる印刷中断要因を解除するための復帰作業が完了すれば、残りの調整動作を実行せずに印刷を再開する。これに対して、印刷中断要因が解除されたとしても、印刷を再開する前に実行すべきであると判定した調整動作のすべてを実行してもよい。それによって、調整動作が全て行われてから、印刷ジョブの実行が行われるので、より品質を向上させることができる。
【０１８８】
また、本実施形態における図に示す機能が外部からインストールされるプログラムによって、ホストコンピュータ（例えば、ＰＣ１０３やＰＣ１０４）により遂行されていてもよい。尚、この場合に、各操作画面を含む本形態で述べた操作画面と同様の操作画面を表示させるためのデータを外部からインストールし、該ホストコンピュータの表示部に上記各種のユーザインタフェース画面を提供可能に構成する。この一例として、本例では、図１０の画面による構成でもって、これを説明している。このような構成の場合、ＣＤ−ＲＯＭやフラッシュメモリやＦＤ等のコンピュータ読取可能な記憶媒体から、プログラムを含む情報群を出力装置に供給される場合でも本発明は適用されるものである。あるいはネットワークを介して外部の記憶媒体から、プログラムを含む情報群を出力装置に供給される場合でも本発明は適用されるものである。
【０１８９】
以上のように、前述した実施形態の機能を実現するソフトウェアのプログラムコードを記録した記憶媒体を、システムまたは装置に供給し、それらのコンピュータ（ＣＰＵやＭＰＵ等）が格納されたプログラムコードを読出し実行しても本発明の目的は達成される。
【０１９０】
この場合、記憶媒体から読み出されたプログラムコード自体が本発明の新規な機能を実現することになり、そのプログラムコードを記憶した記憶媒体は本発明を構成することになる。
【０１９１】
従って、プログラムの機能を有していれば、オブジェクトコード、インタプリタにより実行されるプログラム、ＯＳ（オペレーティングシステム）に供給するスクリプトデータ等、プログラムの形態を問わない。
【０１９２】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ等がある。また、磁気テープ、不揮発性のメモリカード、ＲＯＭ、ＤＶＤ等がある。
【０１９３】
この場合、記憶媒体から読出されたプログラムコード自体が前述した実施形態の機能を実現することになり、そのプログラムコードを記憶した記憶媒体は本発明を構成することになる。
【０１９４】
他に、プログラムの供給方法として、クライアントコンピュータのブラウザを用いてインターネットのホームページに接続し、ホームページ本発明のコンピュータプログラムをＨＤＤ等の記録媒体にダウンロードすることもできる。もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１９５】
また、本発明のプログラムを暗号化してＣＤ−ＲＯＭ等の記憶媒体に格納してユーザに配布することも可能である。その場合、所定の条件をクリアしたユーザに対し、インターネットを介してホームページから暗号化を解く鍵情報をダウンロードさせることができる。そして、その鍵情報を使用することにより暗号化されたプログラムを実行してコンピュータにインストールさせて実現する。
【０１９６】
また、コンピュータが読み出したプログラムコードを実行するだけでなく、そのプログラムコードの指示に基づき、コンピュータ上で稼働するＯＳ等が実際の処理の一部または全部を行うことでも実現される。
【０１９７】
さらに、記憶媒体から読み出されたプログラムコードが、コンピュータに挿入された機能拡張ボードやコンピュータに接続された機能拡張ユニットに備わるメモリに書き込む方法も可能である。その場合、プログラムコードの指示に基づき、その機能拡張ボードや機能拡張ユニットに備わるＣＰＵ等が実際の処理の一部または全部を行うことでも実現される。
【０１９８】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウェアによって表されるプログラムを格納した記憶媒体を該システムあるいは装置に読み出すことによって、そのシステムあるいは装置が、本発明の効果を享受することが可能となる。
【０１９９】
本発明は上記実施形態に限定されるものではなく、本発明の趣旨に基づき種々の変形（各実施形態の有機的な組合せを含む）が可能であり、それらを本発明の範囲から排除するものではない。例えば、本形態では、印刷装置１００内部の制御部２０５が上記各種制御の主体となっていたが、印刷装置１００と別筐体外部装置に含まれる外部のコントローラにより、上記各種制御の１部または全部を実行可能に構成しても良い。
【０２００】
以上、本発明の様々な例と実施形態を示して説明したが、本発明の趣旨と範囲は、本明細書内の特定の説明及び図面に限定されるものではない。
【図面の簡単な説明】
【０２０１】
【図１】本形態で制御対象となる印刷システム１０００を含むＰＯＳシステム１００００全体の構成を説明するための図である。
【図２】本形態で制御対象となる印刷システム１０００の構成を説明するための図である。
【図３】本形態で制御対象となる印刷システム１０００の構成を説明するための図である。
【図４】本形態で制御対象となるインラインフィニッシャの内部構成を説明するための図である。
【図５】本形態で制御対象となるインラインフィニッシャの内部構成を説明するための図である。
【図６】本形態で制御対象となるインラインフィニッシャの内部構成を説明するための図である。
【図７】本形態で制御対象となる操作部を説明するための図である。
【図８】本形態で制御対象となる操作部に表示する画面を説明するための図である。
【図９】本形態で制御対象となる操作部に表示する画面を説明するための図である。
【図１０】本形態で制御対象となるＰＣに表示する画面を説明するための図である。
【図１１】本形態で制御対象となる操作部に表示する画面を説明するための図である。
【図１２】本形態で制御対象となる対応テーブルを説明するための図である。
【図１３】本形態で制御対象となる情報テーブルを説明するための図である。
【図１４】本発明の実施形態に係る制御手順の例を説明するフローチャートである。
【図１５】本形態で制御対象となる操作部に表示する画面を説明するための図である。
【図１６】本形態で制御対象となる操作部に表示する画面を説明するための図である。
【図１７】本発明の実施形態に係る制御手順の例を説明するフローチャートである。
【図１８】本形態で制御対象となる情報テーブルを説明するための図である。
【図１９】本形態で制御対象となる操作部に表示する画面を説明するための図である。
【図２０】本形態で制御対象となる操作部に表示する画面を説明するための図である。
【図２１】本発明の実施形態に係るプログラムコード群を説明する図である。
【符号の説明】
【０２０２】
１００  印刷装置
２００  シート処理装置
２０４  操作部
２０５  制御部
１０００  印刷システム
【図１】
0005224787.tif 000002
【図２】
0005224787.tif 000003
【図３】
0005224787.tif 000004
【図４】
0005224787.tif 000005
【図５】
0005224787.tif 000006
【図６】
0005224787.tif 000007
【図７】
0005224787.tif 000008
【図８】
0005224787.tif 000009
【図９】
0005224787.tif 000010
【図１０】
0005224787.tif 000011
【図１１】
0005224787.tif 000012
【図１２】
0005224787.tif 000013
【図１３】
0005224787.tif 000014
【図１４】
0005224787.tif 000015
【図１５】
0005224787.tif 000016
【図１６】
0005224787.tif 000017
【図１７】
0005224787.tif 000018
【図１８】
0005224787.tif 000019
【図１９】
0005224787.tif 000020
【図２０】
0005224787.tif 000021
【図２１】
0005224787.tif 000022